(57)【要約】      （修正有）【課題】フリーアドレスオフィスの執務者が必要なものを好適に自席に運搬し、退席時にも速やかに撤収し得ることにより、執務の遂行を好適に促し得る鞄を提供する。【解決手段】鞄は支持基部Ｃ３と前記座Ｃ５との間に荷物載置面Ｃ７５が設けられ、その荷物載置面Ｃ７５と前記座Ｃ５の裏面との間に本発明に係る鞄１を出し入れ自在に収容するための荷物収容空間Ｃ７７が形成されている椅子に好適に適用される。具体的には本発明に係る鞄１は、平板状に形成された鞄本体３と、当該鞄本体３の両端に設けられた対をなす把手５と、前記鞄本体３の上面側に設けられ、持ち主を表示するための持ち主情報を表示する表示部７とを具備していることを特徴とするものである。【選択図】図１
2011078538.tif 000002
【特許請求の範囲】
【請求項１】
平板状に形成された鞄本体と、
当該鞄本体の両端に設けられた対をなす把手と、
前記鞄本体の上面側に設けられ、持ち主を表示するための持ち主情報を表示する表示部とを具備していることを特徴とする鞄。
【請求項２】
前記把手を、前記鞄本体の両端から突出させて設けた保形性を有する突出把手としている請求項１記載の鞄。
【請求項３】
前記鞄本体を、平面視矩形状としている請求項１又は２記載の鞄。
【請求項４】
前記表示部を、前記持ち主情報を記したカードを視認可能に収容し得るカード収容部である請求項１、２又は３記載の鞄。
【請求項５】
前記カード収容部が名刺を収容し得るものである請求項４記載の鞄。
【請求項６】
前記鞄本体の下面側の表面を一枚の可撓性を有する素材により構成している請求項１、２、３、４又は５記載の鞄。
【請求項７】
前記鞄本体が、側方にのみ開口する開閉部を側縁に設けている請求項１、２、３、４、５又は６記載の鞄。
【発明の詳細な説明】
【技術分野】
【０００１】
本発明は、フリーアドレスタイプのオフィスで好適に使用され得る鞄に関するものである。
【背景技術】
【０００２】
フリーアドレス形式のオフィスレイアウトを採用したフリーアドレスオフィス（例えば、下記非特許文献を参照）は、１９８０年代後半に始まったとされる。フリーアドレスオフィスでは、執務者個々人の自席を固定せず、誰でも自由に利用できるデスク及び椅子を配したカフェスタイルのフロアを構築する。
【０００３】
そしてこのようなフリーアドレスオフィスの場合、執務者は、必要書類やパーソナルコンピュータ等を予め勤務者に割り当てられたロッカー等から取り出し、それらをオフィス内に持参し、空いている席に着いて仕事をする。
【０００４】
つまり、このよう態様を想定すると、執務者がロッカー等から必要書類やパーソナルコンピュータ等を持ち出す場合は、これらを確実に執務者の近辺に位置付けることを重視すれば、特許文献１のような態様の鞄を採用することが考えられる。
【０００５】
また他方、特許文献２に開示されている通り、座の下に荷物を載置し得る空間を設けた椅子も提案されており、着座者は鞄をこのような空間へ収容しておく場合も十分に考えられる。
【先行技術文献】
【特許文献】
【０００６】
【特許文献１】特開２００１−１０４０９３号公報
【特許文献２】特開２００５−７３７８９号公報
【非特許文献】
【０００７】
【非特許文献１】嶋村仁志、山田哲弥、杉山武、岩田美成、「研究執務スペースのフリーアドレス化に関する研究その１：折畳移動机を用いたフリーアドレス・オフィスのユーザー満足度評価による効果分析」、日本建築学会計画系論文集、社団法人日本建築学会、１９９８年７月３０日、Ｎｏ．５０９、ｐｐ．１２９−１３４
【非特許文献２】岩切一幸、毛利一平、外山みどり、野瀬かおり、落合孝則、城内博、斉藤進、「フリーアドレス形式オフィスレイアウトでのＶＤＴ作業者の姿勢および身体的疲労感」、産業衛生学雑誌、社団法人日本産業衛生学会、２００６年１月２０日、Ｖｏｌ．４８、ｐｐ．７−１４
【発明の概要】
【発明が解決しようとする課題】
【０００８】
加えて、フリーアドレスオフィスでは持ち込んだ荷物をデスク近辺に収納し直すということをせずに、退席時には荷物を全て自席から毎回持ち出すことを考えると、執務者が持ち運ぶ鞄は、持ち込んだ鞄は速やかに着座者の近辺に位置付け得るのみならず、退席を行なう動作時には速やかに持ち出すことができるものが要求されるものと考えられる。
【０００９】
本発明は、このような点に着目したものであり、フリーアドレスオフィスの執務者が必要なものを好適に自席まで速やかに運搬し、退席時にも速やかに撤収し得ることにより、執務の遂行を好適に促し得る鞄を提供することを目的としている。
【課題を解決するための手段】
【００１０】
本発明は、このような目的を達成するために、次のような手段を講じたものである。すなわち本発明に係る鞄は、平板状に形成された鞄本体と、当該鞄本体の両端に設けられた対をなす把手と、前記鞄本体の上面側に設けられ、持ち主を表示するための持ち主情報を表示する表示部とを具備していることを特徴とする。
【００１１】
このようなものであれば、両端に対をなす把手が設けられているので、椅子の座の下方に設けられている棚板から、取り出す方向を意識することなく簡便な出し入れを実現することが可能となる。また表示部によって持ち主情報が常に表示されることとなるので、棚板に載置されているときでも表示部によって持ち主情報を表示することにより、オフィスの他のメンバーが誤って着座することを有効に回避するとともに、着座者が着座していることを容易に認識させることができる。
【００１２】
そして着座者が鞄を取り出し易いものとするための望ましい構成としては、把手を、前記鞄本体の両端から突出させて設けた保形性を有する突出把手として、当該突出把手を常に突出させておけば、着座者は垂れ下がった把手を手探りで探るような動作をすることなく、目視をしない状態でも鞄を取り出し易いものとなる。
【００１３】
またオフィスで使用する書類や、ノート型パーソナルコンピュータを好適に収容し得るものとするためには、鞄本体を、平面視矩形状としておくことが好ましい。
【００１４】
持ち主によって表示部の表示を容易に変更、設定し得るものとするためには、表示部を、持ち主情報を記したカードを視認可能に収容し得るカード収容部としておくことが望ましい。
【００１５】
そして、現実的に適用され易い収容部の具体的な態様としては、カード収容部が名刺を収容し得るものを挙げることができる。
【００１６】
そして、着座者が頻繁に鞄の出し入れを行なう際にも繰り返し容易にし得るためには、鞄本体の下面側の表面を一枚の可撓性を有する素材により構成しておくことが望ましい。ここで可撓性を有する素材としては、天然の布地や合成繊維或いは皮革類など、既存の鞄に適用しうる種々の素材を適用することができる。
【００１７】
そして、鞄本体を開閉するための開閉部が鞄自体の出し入れに干渉しないようにするためには、当該鞄本体が、側方にのみ開口する開閉部を側縁に設けることが望ましい。
【発明の効果】
【００１８】
本発明によれば、両端に対をなす把手が設けられているので、椅子の座の下方に設けられている棚板から、取り出す方向を意識することなく簡便な出し入れを実現することが可能となる。また表示部によって持ち主情報が常に表示されることとなるので、棚板に載置されているときでも表示部によって持ち主情報を表示することにより、オフィスの他のメンバーが誤って着座することを有効に回避するとともに、着座者が着座していることを容易に認識させることができる鞄を提供することができる。
【図面の簡単な説明】
【００１９】
【図１】本発明の一実施形態に係る鞄の使用態様を示す斜視図。
【図２】同使用態様を示す平面図。
【図３】同実施形態に係る鞄の斜視図。
【図４】同実施形態に係る鞄の平面図。
【図５】同実施形態に係る鞄の使用態様を示す正面図。
【図６】同使用態様を示す側面図。
【発明を実施するための形態】
【００２０】
以下、本発明の一実施形態について図１ないし図６を参照して説明する。
【００２１】
本実施形態に係る鞄１は、図１に示すように、フリーアドレスオフィスにおいて有効に適し得る椅子Ｃとともに使用されるものである。換言すれば本実施形態に係る鞄１は、当該椅子Ｃとともに、例えば椅子ユニットといったものを構成し得るものとなっている。
【００２２】
先ず、椅子Ｃの各構成要素について説明する。
【００２３】
この椅子は、図１及び図２に示すように、脚体Ｃ１と、この脚体Ｃ１により回転可能に支持された支持基部Ｃ３と、この支持基部Ｃ３に支持された座Ｃ５及び背凭れＣ７とを具備してなる。
【００２４】
脚体Ｃ１は、同図に示すように、キャスタＣ９を有した脚羽根タイプの脚ベースＣ１１と、この脚ベースＣ１１の中心部に立設した脚支柱Ｃ１３とを具備してなる。前記脚支柱Ｃ１３は、ガススプリングを主体に構成された通常のもので、この脚支柱Ｃ１３の上端部に前記支持基部Ｃ３が取り付けられている。
【００２５】
支持基部Ｃ３は、同図に示すように、後方に向かって漸次幅狭となる平面視ほぼ三角形状をなすものであり、前記脚体Ｃ１のガススプリングを制御するための脚操作レバーＣ３ｄが設けられている。
【００２６】
座Ｃ５は、同図に示すように、左右対をなす座フレームＣ１５と、これら両座フレームＣ１５間に張設された可撓性のある座張地Ｃ１７と、この座張地Ｃ１７との間に空間１９を形成しつつ前記両座フレームＣ１５の前端部間に介設されその介設状態で前記座張地Ｃ１７に張力を付与する前横梁Ｃ２１とを具備してなる。
【００２７】
背凭れＣ７は、同図に示すように、左右対をなす背フレームＣ２３と、これら両背フレームＣ２３間に張設された可撓性のある背張地Ｃ２５と、この背張地Ｃ２５との間に空間を形成しつつ前記両背フレームＣ２３の上部間に介設されその介設状態で前記背張地Ｃ２５に張力を付与する上横梁Ｃ２９と、前記背張地Ｃ２５との間に空間を形成しつつ前記両背フレームＣ２３の下部間に介設されその介設状態で前記背張地Ｃ２５に張力を付与する下横梁Ｃ３３とを具備してなる。
【００２８】
また、この実施形態にかかる椅子Ｃは、肘掛けＣ８９を有している。この肘掛けＣ８９は、図１及び図２に示すように、前記下横梁Ｃ３３と一体に連続形成されたものであり、前記下横梁Ｃ３３の外面と前記肘掛けＣ８９の外面とが滑らかに一体化されている。
【００２９】
前記座フレームＣ１５と前記背フレームＣ２３とは、図１及び図２示すように、連続したものであり、前記座Ｃ５と背凭れＣ７とが一体となるように構成されている。すなわち、左の座フレームＣ１５と左の背フレームＣ２３、及び右の座フレームＣ１５と右の背フレームＣ２３とはそれぞれ一本の連続した金属素材を一体に成形することにより一体に構成されている。
【００３０】
前記座張地Ｃ１７及び前記背張地Ｃ２５は、図１及び図２に示すように、合成樹脂製の糸を織成または編成してなるメッシュ状の張地素材を所定形状に裁断することにより一体に構成されており、着座面である表面側から裏面側に存在するものを視認することができるような透光性を備えている。
【００３１】
このようにしてなる本実施形態にかかる椅子Ｃは、同図に示すように、座Ｃ５と背凭れＣ７とが一体に構成されており、これら座Ｃ５及び背凭れＣ７が前記支持基部Ｃ３に一体に設けられた前横梁Ｃ２１によって片持ち支持されている。そして、この支持基部Ｃ３と前記座Ｃ５との間に荷物載置面Ｃ７５が設けられ、その荷物載置面Ｃ７５と前記座Ｃ５の裏面との間に本発明に係る鞄１を出し入れ自在に収容するための荷物収容空間Ｃ７７が形成されている。
【００３２】
前記荷物載置面Ｃ７５は、同図に示すように、平面視においてその外縁Ｃ７５ａの一部が前記支持基部Ｃ３の外縁よりも外側に位置する延出部Ｃ７９を備えており、その延出部Ｃ７９に埃排除手段Ｃ８１が設けられている。すなわち、この実施形態における荷物載置面Ｃ７５は、前横梁Ｃ２１の平坦部の上面と支持基部Ｃ３の上に着脱可能に装着された棚板Ｃ８３の上面により形成されている。換言すれば、前記支持基部Ｃ３の上面を覆い隠すようにして前記棚板Ｃ８３が設けられており、その棚板Ｃ８３に前記荷物載置面Ｃ７５の主要部が形成されている。
【００３３】
しかして本実施形態に係る鞄１は、上述した椅子Ｃとともに椅子ユニットとして使用した場合、荷物載置面Ｃ７５に対し好適に載せ置く事ができるとともに、着座者が側方から容易に出し入れがし易いよう、以下の構成を具備しているものである。
【００３４】
すなわち本実施形態に係る鞄１は、平板状に形成された鞄本体３と、当該鞄本体３の両端に設けられた対をなす把手５と、前記鞄本体３の上面側に設けられ、持ち主を表示するための持ち主情報を表示する表示部７とを具備していることを特徴とするものである。
【００３５】
鞄本体３は、図３又は図４に示すように、側端面３１及び前後端面３２によって平面視矩形状をなした可撓性を有する例えば布状のものであり、側端面３１に設けられた対をなす把手５を、上面１ａには表示部７を例えば縫いつけにより取り付けるとともに、一方の前後端面３２の略全長にわたって開閉部たるファスナ９を設けている。そして下面１ｂ側は一枚の布地のみによって構成している。そして本実施形態では、鞄本体３の長手寸法、すなわち前後端面３２の寸法は、上記棚板Ｃ８３の巾寸法の略対応させて設けている。
【００３６】
把手５は、同図に示すように鞄本体３の側端面３１の略全長に亘って取り付けられたものであり、側端面３１の両端を縫いつけにより取り付けられた被取付部５１と、当該被取付部５１から突出させた突出部５２と、当該突出部５２間に設けられた把持部５３とを有してなる。そして当該把手５は鞄本体３を平面に寝かせた状態であっても側方へ確実に突出し得る程度の強度を、特に突出部５２に持たせた、本発明に係る突出把手５としている。
【００３７】
表示部７は、鞄１の上面１ａにおける鞄本体３の隅部近傍に設けられた矩形状のものであり、矩形枠状に形成された布材または人工皮革材からなり上面１ａに平面視コの字状に縫いつけられることによって取り付けられた取付枠部７１と、コの字状に縫いつけられた取付枠部７１と鞄本体３との間のスリット状の部分を、名刺の長辺側が挿通可能なように開口させて設けた挿入部７２と、取付枠部７１によって枠状に開口することによって名刺に記載された持ち主に係る情報を視認可能に設けた開口部７３と、当該開口部７３に位置付けられた名刺を保護するために予め取付枠部７１に取り付けられた、例えば透明のセルロイド板からなる透明板７４とを具備している。
【００３８】
ここで、本実施形態に係る鞄１は、側方へ突出させた把手５を備えることにより、図５に示すとおり、着座者がそのまま座の下方へ手を伸ばせば、着座者は執務中に着座した状態で、いつでも任意の方向へ鞄１を取り出し得るものとなっている。
【００３９】
加えて本実施形態に係る鞄１は、鞄本体３に取り付けた表示部７を、持ち主情報を記したカード、すなわち名刺を視認可能に収容し得るカード収容部としているので、当該表示部７に名刺を挿入した状態で棚板Ｃ８３上に鞄１を置いておけば、図６に示すように、着座者以外のオフィスのメンバーは椅子Ｃに着座している者を、座張地Ｃ１７を介して確実に視認し得るものとなっている。
【００４０】
以上のような構成とすることにより、本実施形態に係る鞄１は、両端に対をなす把手５が設けられているので、椅子Ｃの座の下方に設けられている棚板Ｃ８３から、取り出す方向を意識することなく簡便な出し入れを実現することが可能となっている。また表示部７によって持ち主情報が常に表示されることとなるので、棚板Ｃ８３に載置されているときでも表示部７によって持ち主情報を表示することにより、オフィスの他のメンバーが誤って着座することを有効に回避するとともに、着座者が着座していることを容易に認識させ得るものとなっている。すなわち、上述の椅子Ｃとともに椅子Ｃユニットとして使用することによって、フリーアドレスオフィスにおけるスペースを有効に利用し得るのみならず、常に着座者の着座位置が変わる状況にあっても、他のメンバーが間違うことなく着座者の着座位置を特定し得るものとなっている。
【００４１】
そして着座者が鞄１を取り出し易いものとするための望ましい構成として本実施形態では、把手５を、前記鞄本体３の両端から突出させて設けた保形性を有する突出把手５として、当該突出把手５を常に突出させておけば、着座者は垂れ下がった把手５を手探りで探るような動作をすることなく、目視をしない状態でも鞄１を容易に取り出し易いものとなっている。
【００４２】
またオフィスで使用する書類や、ノート型パーソナルコンピュータを好適に収容し得るものとするために本実施形態では、鞄本体３を、平面視矩形状としている。
【００４３】
持ち主によって表示部７の表示を容易に変更、設定し得るものとするために本実施形態では、表示部７を、持ち主情報を記したカード、すなわち名刺を視認可能に収容し得るカード収容部としている。そうすることにより、鞄１の持ち主の変更等に好適に適用し得るとともに、通常執務者が携帯していると思われる名刺を入れておくのみで、本発明に係る表示部７としての効果を奏し得るものとなっている。
【００４４】
そして、着座者が頻繁に鞄１の出し入れを行なう際にも繰り返し容易にし得るために本実施形態では、鞄本体３の下面１ｂ側の表面を一枚の可撓性を有する素材により構成し、荷物載置面Ｃ７５上をスムーズに移動させ得るものとなっている。
【００４５】
又勿論、鞄本体３を開閉するための開閉部が椅子Ｃの荷物載置面ｃ７５上の鞄１自体の出し入れに干渉しないようにするために本実施形態では、当該鞄本体３が、側方にのみ開口する開閉部として前後端面３２に設けたファスナ９を構成している。
【００４６】
以上、本発明の実施形態について説明したが、各部の具体的な構成は、上述した実施形態のみに限定されるものではなく、本発明の趣旨を逸脱しない範囲で種々変形が可能である。
【００４７】
例えば、上記実施形態では一方の前後面のみにファスナを設けた態様を開示したが、勿論、両方の前後面、或いは上面にファスナ、或いはふぁる内外の開閉手段を設けたものであってもよい。また上面に別途ポケットを設けたり把手を硬質樹脂製のものとしたりする等、鞄本体や把手の具体的な態様は上記実施形態のものに限定されることはなく、既存のものを含め、種々の態様のものを適用することができる。
【００４８】
その他、各部の具体的構成についても上記実施形態に限られるものではなく、本発明の趣旨を逸脱しない範囲で種々変形が可能である。
【符号の説明】
【００４９】
１…鞄
３…鞄本体
５…把手
５２…突出部。
【００５０】
７…表示部
９…開閉部（ファスナ）
Ｎ…カード（名刺）
【図１】
2011078538.tif 000003
【図２】
2011078538.tif 000004
【図３】
2011078538.tif 000005
【図４】
2011078538.tif 000006
【図５】
2011078538.tif 000007
【図６】
2011078538.tif 000008